(57)【要約】【課題】本発明はデータ端末ドアロックを開示した。【解決手段】本発明はデータ端末ドアロックを公示し、地面と前記地面の上側に位置する天井板とを含み、前記地面と前記天井板の前後にはいずれも壁体が固定的に設置され、前記地面の中には第一チャンバが前後対称に設置され、前記天井板と前記地面との間には門軸が前後対称に、且つ回転可能に設置され、前記門軸は前記第一チャンバの中に伸びており、前記門軸には門板が固定的に設置され、前記門板の中には透光ガラスが設置され、前記第一チャンバの中の前記門軸には歯車が固定的に設置され、本発明のデータ端末ドアロックは素早い反応速度を有し、自動的にロックをかけられ、同時に、本装置は不正来訪者の情報を採集でき、安全であり、汎用性も高いのである。【選択図】図１
2020183689.tif 000002
【特許請求の範囲】
【請求項１】
正面視で、地面と前記地面の上側に位置する天井板とを含み、前記地面と前記天井板の前後にはいずれも壁体が固定的に設置され、前記地面の中には第一チャンバが前後対称に設置され、前記天井板と前記地面との間には門軸が前後対称に、且つ回転可能に設置され、前記門軸は前記第一チャンバの中に伸びており、前記門軸には門板が固定的に設置され、前記門板の中には透光ガラスが設置され、前記第一チャンバの中の前記門軸には歯車が固定的に設置され、前記第一チャンバの左端壁にはスライド溝が連通するように設置され、前記スライド溝の右側には前記歯車と噛み合ったラックがスライド可能に設置され、前記スライド溝の左側には永久磁石がスライド可能に設置され、前記永久磁石と前記ラックとの間には油圧作動液  が伝動可能に設置され、二つの前記スライド溝の左端壁には共有した大型電磁石が設置され、前記永久磁石と前記大型電磁石の右端面との間には第一ばねが連結され、前記地面と前記壁体とには前記大型電磁石と通電可能に連結されたカード確認機構が設置され、前記カード確認機構は前記大型電磁石の中の電流を制御でき、前記門板の左側に位置する前記天井板と前記地面との間には筐体が固定的に設置され、前記筐体の中には右方に開口したスライドチャンバが設置され、前記スライドチャンバの中にはデータ端末がスライド可能に設置され、前記データ端末の右端面にはカメラが固定的に設置され、前記データ端末の左端面には前記カメラと通電可能に連結された第一スイッチが固定的に設置され、前記第一スイッチが圧迫された時に、前記カメラは前記透光ガラスを透き通って、カードの持たない来訪者の写真を撮り、前記スライドチャンバの左端壁にはモータが固定的に設置され、前記モータの頂壁には放熱機構が固定的に設置され、前記放熱機構は通常状況で前記データ端末の後端が放った熱量を放散し、前記モータの底壁には収納機構が固定的に設置され、前記収納機構は前記データ端末を左へスライド連動させることにより、前記第一スイッチと前記スライドチャンバの左端壁とを押し合わせることができることを特徴とするデータ端末ドアロック。
【請求項２】
前記カード確認機構はカード読み取り機を含み、前記カード読み取り機は前記壁体の内側端面に固定されており、前記門板の右側に位置する前記地面の中には上方に開口した凹溝が設置され、前記凹溝の底壁には前記カード読み取り機と通電可能に連結された第二スイッチが固定的に設置され、前記カード読み取り機はカードを読み取った後に前記第二スイッチの正極と負極とを帯電させることができ、前記凹溝の中には踏板がスライド可能に設置され、前記踏板と前記凹溝の底壁との間には第二ばねが連結され、前記踏板の底面には前記第二スイッチと接触した圧迫棒が固定的に設置されていることを特徴とする請求項１に記載のデータ端末ドアロック。
【請求項３】
前記放熱機構は前記モータの頂壁に位置する第二チャンバを含み、前記スライドチャンバの頂壁には上下に貫通した第三チャンバが設置され、前記第三チャンバは前記第二チャンバを連通しており、前記モータの頂端には第一駆動軸が伝動可能に連結され、前記第一駆動軸は前記第二チャンバの中に伸びており、前記第一駆動軸の頂端には第一プーリーが固定的に設置され、前記第三チャンバの頂壁には第一回転軸が回転可能に設置され、前記第一回転軸は上下に伸びており、前記第一回転軸には第二プーリーとタービンとが固定的に設置され、前記タービンは前記第二プーリーの下側に位置しており、前記第一プーリーと前記第二プーリーとの間にはベルトが伝動可能に連設置され、前記第一プーリーは前記ベルトによって前記タービンの回転を連動させ、放熱を行い、前記天井板の頂壁には前記第三チャンバと連通した排気口が設置されていることを特徴とする請求項１に記載のデータ端末ドアロック。
【請求項４】
前記収納機構は右方に開口した第四チャンバを含み、前記第四チャンバは前記モータの底壁に位置しており、前記モータの底端には第二駆動軸が伝動可能に連結され、前記第二駆動軸は前記第四チャンバの中に伸びており、前記第四チャンバの底壁には第五チャンバが設置され、前記第五チャンバと前記第四チャンバとの間には第二回転軸が回転可能に設置され、前記第四チャンバの中の前記第二回転軸には第一スプラインスリーブと第二スプラインスリーブとがスライド可能に設置され、前記第二スプラインスリーブは前記第一スプラインスリーブの上側に位置しており、前記第二スプラインスリーブは前記第二駆動軸と噛み合うことができ、前記第二スプラインスリーブと前記第一スプラインスリーブとの間には第三ばねが連結され、前記第二スプラインスリーブの頂面には前記大型電磁石と排斥する環状永久磁石が固定的に設置され、前記大型電磁石は前記環状永久磁石を排斥し、前記第二スプラインスリーブと前記第二駆動軸とを連動させて噛み合わせ、前記データ端末の左端面には傾斜ブロックが固定的に設置され、前記傾斜ブロックは前記環状永久磁石を圧迫することができ、前記傾斜ブロックが左へスライドし前記環状永久磁石を圧迫し、前記第二スプラインスリーブと前記第二駆動軸との噛合状態を解除し、前記第二回転軸の底端には第一傘歯車が固定的に設置され、前記スライドチャンバの底壁には上方に開口した第六チャンバが設置され、前記第六チャンバと前記第五チャンバとの間には第三回転軸が回転可能に設置され、前記第三回転軸の左端には第二傘歯車が固定的に設置され、前記第二傘歯車は前記第一傘歯車と噛み合っており、前記第六チャンバの中には第四回転軸が回転可能に設置され、前記第四回転軸にはローラと第三傘歯車とが固定的に設置され、前記ローラは前記データ端末の底面と接触しており、前記第三傘歯車は前記ローラの前側に位置しており、前記第三回転軸の右端には第四傘歯車が固定的に設置され、前記第四傘歯車と前記第三傘歯車とは噛み合っていることを特徴とする請求項１に記載のデータ端末ドアロック。
【発明の詳細な説明】
【技術分野】
【０００１】
本発明はドアロック分野を取り上げ、具体的にはデータ端末ドアロックである。
【背景技術】
【０００２】
一般的なデータ端末は放熱量が多いため、常に通風しなければならない。しかし、それだけのために、独立の通風動力源を設置するのは、運動エネルギーの利用率が低いのである。もしこの運動エネルギーをドアロックや防盗情報収集に用いられるのであれば、装置全体の運動エネルギー利用率は上げられ、言い換えれば、エネルギーを節約できる。また、伝統的なデータ端末ドアロックはロックの力が小さく、ロック効果が普通である。従って、上記の問題を解決できるデータ端末ドアロックの設計は必要である。
【先行技術文献】
【特許文献】
【０００３】
【特許文献１】中国特許出願公開第104790726号明細書
【発明の概要】
【発明が解決しようとする課題】
【０００４】
本発明はデータ端末ドアロックを提供し、既存技術にある上記の欠点を解消することを目的とする。
【課題を解決するための手段】
【０００５】
本発明は以下の技術プランによって実現する：本発明のデータ端末ドアロックは地面と前記地面の上側に位置する天井板とを含み、前記地面と前記天井板の前後にはいずれも壁体が固定的に設置され、前記地面の中には第一チャンバが前後対称に設置され、前記天井板と前記地面との間には門軸が前後対称に、且つ回転可能に設置され、前記門軸は前記第一チャンバの中に伸びており、前記門軸には門板が固定的に設置され、前記門板の中には透光ガラスが設置され、前記第一チャンバの中の前記門軸には歯車が固定的に設置され、前記第一チャンバの左端壁にはスライド溝が連通するように設置され、前記スライド溝の右側には前記歯車と噛み合ったラックがスライド可能に設置され、前記スライド溝の左側には永久磁石がスライド可能に設置され、前記永久磁石と前記ラックとの間には油圧作動液  が伝動可能に設置され、二つの前記スライド溝の左端壁には共有した大型電磁石が設置され、前記永久磁石と前記大型電磁石の右端面との間には第一ばねが連結され、前記地面と前記壁体とには前記大型電磁石と通電可能に連結されたカード確認機構が設置され、前記カード確認機構は前記大型電磁石の中の電流を制御でき、前記門板の左側に位置する前記天井板と前記地面との間には筐体が固定的に設置され、前記筐体の中には右方に開口したスライドチャンバが設置され、前記スライドチャンバの中にはデータ端末がスライド可能に設置され、前記データ端末の右端面にはカメラが固定的に設置され、前記データ端末の左端面には前記カメラと通電可能に連結された第一スイッチが固定的に設置され、前記第一スイッチが圧迫された時に、前記カメラは前記透光ガラスを透き通って、カードの持たない来訪者の写真を撮り、前記スライドチャンバの左端壁にはモータが固定的に設置され、前記モータの頂壁には放熱機構が固定的に設置され、前記放熱機構は通常状況で前記データ端末の後端が放った熱量を放散し、前記モータの底壁には収納機構が固定的に設置され、前記収納機構は前記データ端末を左へスライド連動させることにより、前記第一スイッチと前記スライドチャンバの左端壁とを押し合わせることができる。
【０００６】
優選的に、前記カード確認機構はカード読み取り機を含み、前記カード読み取り機は前記壁体の内側端面に固定されており、前記門板の右側に位置する前記地面の中には上方に開口した凹溝が設置され、前記凹溝の底壁には前記カード読み取り機と通電可能に連結された第二スイッチが固定的に設置され、前記カード読み取り機はカードを読み取った後に前記第二スイッチの正極と負極とを帯電させることができ、前記凹溝の中には踏板がスライド可能に設置され、前記踏板と前記凹溝の底壁との間には第二ばねが連結され、前記踏板の底面には前記第二スイッチと接触した圧迫棒が固定的に設置され、前記踏板は前記圧迫棒に前記第二スイッチを圧迫させ、前記第二スイッチは前記大型電磁石を通電可能にすることができる。
【０００７】
優選的に、前記放熱機構は前記モータの頂壁に位置する第二チャンバを含み、前記スライドチャンバの頂壁には上下に貫通した第三チャンバが設置され、前記第三チャンバは前記第二チャンバを連通しており、前記モータの頂端には第一駆動軸が伝動可能に連結され、前記第一駆動軸は前記第二チャンバの中に伸びており、前記第一駆動軸の頂端には第一プーリーが固定的に設置され、前記第三チャンバの頂壁には第一回転軸が回転可能に設置され、前記第一回転軸は上下に伸びており、前記第一回転軸には第二プーリーとタービンとが固定的に設置され、前記タービンは前記第二プーリーの下側に位置しており、前記第一プーリーと前記第二プーリーとの間にはベルトが伝動可能に連設置され、前記第一プーリーは前記ベルトによって前記タービンの回転を連動させ、放熱を行い、前記天井板の頂壁には前記第三チャンバと連通した排気口が設置される。
【０００８】
優選的に、前記収納機構は右方に開口した第四チャンバを含み、前記第四チャンバは前記モータの底壁に位置しており、前記モータの底端には第二駆動軸が伝動可能に連結され、前記第二駆動軸は前記第四チャンバの中に伸びており、前記第四チャンバの底壁には第五チャンバが設置され、前記第五チャンバと前記第四チャンバとの間には第二回転軸が回転可能に設置され、前記第四チャンバの中の前記第二回転軸には第一スプラインスリーブと第二スプラインスリーブとがスライド可能に設置され、前記第二スプラインスリーブは前記第一スプラインスリーブの上側に位置しており、前記第二スプラインスリーブは前記第二駆動軸と噛み合うことができ、前記第二スプラインスリーブと前記第一スプラインスリーブとの間には第三ばねが連結され、前記第二スプラインスリーブの頂面には前記大型電磁石と排斥する環状永久磁石が固定的に設置され、前記大型電磁石は前記環状永久磁石を排斥し、前記第二スプラインスリーブと前記第二駆動軸とを連動させて噛み合わせ、前記データ端末の左端面には傾斜ブロックが固定的に設置され、前記傾斜ブロックは前記環状永久磁石を圧迫することができ、前記傾斜ブロックが左へスライドし前記環状永久磁石を圧迫し、前記第二スプラインスリーブと前記第二駆動軸との噛合状態を解除し、前記第二回転軸の底端には第一傘歯車が固定的に設置され、前記スライドチャンバの底壁には上方に開口した第六チャンバが設置され、前記第六チャンバと前記第五チャンバとの間には第三回転軸が回転可能に設置され、前記第三回転軸の左端には第二傘歯車が固定的に設置され、前記第二傘歯車は前記第一傘歯車と噛み合っており、前記第六チャンバの中には第四回転軸が回転可能に設置され、前記第四回転軸にはローラと第三傘歯車とが固定的に設置され、前記ローラは前記データ端末の底面と接触しており、前記第三傘歯車は前記ローラの前側に位置しており、前記第三回転軸の右端には第四傘歯車が固定的に設置され、前記第四傘歯車と前記第三傘歯車とは噛み合っており、前記第一傘歯車は前記第二傘歯車と前記第四傘歯車との回転を連動させ、前記第四傘歯車は前記ローラを駆動し、前記データ端末を左へスライド連動させる。
【発明の効果】
【０００９】
要約すると、本発明のデータ端末ドアロックは素早い反応速度を有し、自動的にロックをかけられ、同時に、本装置は不正来訪者の情報を採集でき、安全であり、汎用性も高いのである。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のデータ端末ドアロックの全体構成略図
【図２】図２は図１におけるＡ―Ａの構成略図
【図３】図３は図１におけるＢの拡大構成略図
【図４】図４は図１におけるＣの拡大構成略図
【図５】図５は図１におけるＤの拡大構成略図
【図６】図６は図１におけるＥの拡大構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜６が示したよう、本発明のデータ端末ドアロックは地面２３と前記地面２３の上側に位置する天井板１０とを含み、前記地面２３と前記天井板１０の前後にはいずれも壁体２７が固定的に設置され、前記地面２３の中には第一チャンバ３０が前後対称に設置され、前記天井板１０と前記地面２３との間には門軸２８が前後対称に、且つ回転可能に設置され、前記門軸２８は前記第一チャンバ３０の中に伸びており、前記門軸２８には門板２４が固定的に設置され、前記門板２４の中には透光ガラス２９が設置され、前記第一チャンバ３０の中の前記門軸２８には歯車３１が固定的に設置され、前記第一チャンバ３０の左端壁にはスライド溝１９が連通するように設置され、前記スライド溝１９の右側には前記歯車３１と噛み合ったラック２２がスライド可能に設置され、前記スライド溝１９の左側には永久磁石２０がスライド可能に設置され、前記永久磁石２０と前記ラック２２との間には油圧作動液  ２１が伝動可能に設置され、二つの前記スライド溝１９の左端壁には共有した大型電磁石１７が設置され、前記永久磁石２０と前記大型電磁石１７の右端面との間には第一ばね１８が連結され、前記地面２３と前記壁体２７とには前記大型電磁石１７と通電可能に連結されたカード確認機構９２が設置され、前記カード確認機構９２は前記大型電磁石１７の中の電流を制御でき、前記門板２４の左側に位置する前記天井板１０と前記地面２３との間には筐体１１が固定的に設置され、前記筐体１１の中には右方に開口したスライドチャンバ１２が設置され、前記スライドチャンバ１２の中にはデータ端末１４がスライド可能に設置され、前記データ端末１４の右端面にはカメラ２５が固定的に設置され、前記データ端末１４の左端面には前記カメラ２５と通電可能に連結された第一スイッチ１３が固定的に設置され、前記第一スイッチ１３が圧迫された時に、前記カメラ２５は前記透光ガラス２９を透き通って、カードの持たない来訪者の写真を撮り、前記スライドチャンバ１２の左端壁にはモータ１５が固定的に設置され、前記モータ１５の頂壁には放熱機構９０が固定的に設置され、前記放熱機構９０は通常状況で前記データ端末１４の後端が放った熱量を放散し、前記モータ１５の底壁には収納機構９１が固定的に設置され、前記収納機構９１は前記データ端末１４を左へスライド連動させることにより、前記第一スイッチ１３と前記スライドチャンバ１２の左端壁とを押し合わせることができる。
【００１４】
好ましくは、前記カード確認機構９２はカード読み取り機２６を含み、前記カード読み取り機２６は前記壁体２７の内側端面に固定されており、前記門板２４の右側に位置する前記地面２３の中には上方に開口した凹溝６１が設置され、前記凹溝６１の底壁には前記カード読み取り機２６と通電可能に連結された第二スイッチ６３が固定的に設置され、前記カード読み取り機２６はカードを読み取った後に前記第二スイッチ６３の正極と負極とを帯電させることができ、前記凹溝６１の中には踏板５９がスライド可能に設置され、前記踏板５９と前記凹溝６１の底壁との間には第二ばね６２が連結され、前記踏板５９の底面には前記第二スイッチ６３と接触した圧迫棒６０が固定的に設置され、前記踏板５９は前記圧迫棒６０に前記第二スイッチ６３を圧迫させ、前記第二スイッチ６３は前記大型電磁石１７を通電可能にすることができる。
【００１５】
好ましくは、前記放熱機構９０は前記モータ１５の頂壁に位置する第二チャンバ３２を含み、前記スライドチャンバ１２の頂壁には上下に貫通した第三チャンバ４０が設置され、前記第三チャンバ４０は前記第二チャンバ３２を連通しており、前記モータ１５の頂端には第一駆動軸３５が伝動可能に連結され、前記第一駆動軸３５は前記第二チャンバ３２の中に伸びており、前記第一駆動軸３５の頂端には第一プーリー３３が固定的に設置され、前記第三チャンバ４０の頂壁には第一回転軸３９が回転可能に設置され、前記第一回転軸３９は上下に伸びており、前記第一回転軸３９には第二プーリー３７とタービン３６とが固定的に設置され、前記タービン３６は前記第二プーリー３７の下側に位置しており、前記第一プーリー３３と前記第二プーリー３７との間にはベルト３４が伝動可能に連設置され、前記第一プーリー３３は前記ベルト３４によって前記タービン３６の回転を連動させ、放熱を行い、前記天井板１０の頂壁には前記第三チャンバ４０と連通した排気口４１が設置される。  
【００１６】
好ましくは、前記収納機構９１は右方に開口した第四チャンバ４３を含み、前記第四チャンバ４３は前記モータ１５の底壁に位置しており、前記モータ１５の底端には第二駆動軸４４が伝動可能に連結され、前記第二駆動軸４４は前記第四チャンバ４３の中に伸びており、前記第四チャンバ４３の底壁には第五チャンバ５０が設置され、前記第五チャンバ５０と前記第四チャンバ４３との間には第二回転軸４９が回転可能に設置され、前記第四チャンバ４３の中の前記第二回転軸４９には第一スプラインスリーブ４８と第二スプラインスリーブ４６とがスライド可能に設置され、前記第二スプラインスリーブ４６は前記第一スプラインスリーブ４８の上側に位置しており、前記第二スプラインスリーブ４６は前記第二駆動軸４４と噛み合うことができ、前記第二スプラインスリーブ４６と前記第一スプラインスリーブ４８との間には第三ばね４７が連結され、前記第二スプラインスリーブ４６の頂面には前記大型電磁石１７と排斥する環状永久磁石４５が固定的に設置され、前記大型電磁石１７は前記環状永久磁石４５を排斥し、前記第二スプラインスリーブ４６と前記第二駆動軸４４とを連動させて噛み合わせ、前記データ端末１４の左端面には傾斜ブロック１６が固定的に設置され、前記傾斜ブロック１６は前記環状永久磁石４５を圧迫することができ、前記傾斜ブロック１６が左へスライドし前記環状永久磁石４５を圧迫し、前記第二スプラインスリーブ４６と前記第二駆動軸４４との噛合状態を解除し、前記第二回転軸４９の底端には第一傘歯車５３が固定的に設置され、前記スライドチャンバ１２の底壁には上方に開口した第六チャンバ５４が設置され、前記第六チャンバ５４と前記第五チャンバ５０との間には第三回転軸５１が回転可能に設置され、前記第三回転軸５１の左端には第二傘歯車５２が固定的に設置され、前記第二傘歯車５２は前記第一傘歯車５３と噛み合っており、前記第六チャンバ５４の中には第四回転軸５６が回転可能に設置され、前記第四回転軸５６にはローラ５８と第三傘歯車５７とが固定的に設置され、前記ローラ５８は前記データ端末１４の底面と接触しており、前記第三傘歯車５７は前記ローラ５８の前側に位置しており、前記第三回転軸５１の右端には第四傘歯車５５が固定的に設置され、前記第四傘歯車５５と前記第三傘歯車５７とは噛み合っており、前記第一傘歯車５３は前記第二傘歯車５２と前記第四傘歯車５５との回転を連動させ、前記第四傘歯車５５は前記ローラ５８を駆動し、前記データ端末１４を左へスライド連動させる。
【００１７】
下記に、附図と前述した本発明の具体的構成とを参照し、本発明であるデータ端末ドアロックの使用方法について詳しく説明する：
【００１８】
装置が正常運転する時に、前記モータ１５は前記第一プーリー３３の回転を駆動し、前記第一プーリー３３は前記第二プーリー３７の回転を連動させ、前記第二プーリー３７は前記タービン３６を連動させ、前記データ端末１４の後側が放った熱量を前記排気口４１に入れ、そして熱量を前記スライドチャンバ１２から排出させ、放熱効果は良く、端末の動作も安定である。
【００１９】
来訪者がカード確認を行われず前記門板２４に接近した時に、前記カード読み取り機２６は前記第二スイッチ６３の正極と負極とを帯電にし、前記踏板５９は踏まれ、前記踏板５９は前記圧迫棒６０を連動させ、前記圧迫棒６０に前記第二スイッチ６３を圧迫させ、前記第二スイッチ６３は前記大型電磁石１７を通電にし、そして前記大型電磁石１７が前記永久磁石２０を吸引し、前記永久磁石２０は吸引させて左へスライドし、そして前記油圧作動液２１によって前記ラック２２を左へスライド連動させ、前記ラック２２は前記歯車３１の回転を連動させ、即ち、前記門軸２８は回転し両側の前記門板２４を閉め、ロック作業を完了とし、素早く反応できる。
【００２０】
同時に、前記大型電磁石１７は前記環状永久磁石４５を排斥し、前記環状永久磁石４５は上にスライドし、前記第二スプラインスリーブ４６と前記第二駆動軸４４とを連動させて噛み合わせ、この時、前記第二駆動軸４４は前記第二回転軸４９を回転連動させることができ、前記第一傘歯車５３は前記第二傘歯車５２と前記第四傘歯車５５との回転を連動させ、前記第四傘歯車５５は前記第三傘歯車５７と前記ローラ５８の回転を連動させ、前記ローラ５８は前記データ端末１４を連動させて左へスライドさせ、前記第一スイッチ１３と前記スライドチャンバ１２の左端壁とが押し合った時に、前記カメラ２５は前記透光ガラス２９を透き通ってカード確認を行われていない来訪者に写真撮りを行われ、自動的に不正来訪者の情報を採集し、安全であり、そして前記傾斜ブロック１６は前記環状永久磁石４５を圧迫し、前記第二スプラインスリーブ４６と前記第二駆動軸４４とに噛合状態を解除させ、前記データ端末１４は左へスライドすることを止める。
【００２１】
来訪者がカード確認してから通過する時に、前記第二スイッチ６３の正極と負極とは帯電しないのであり、この時、前記踏板５９を踏んだ後、前記大型電磁石１７は通電しないであり、即ちロック作業を行われないのである。
【００２２】
要約すると、本発明のデータ端末ドアロックは素早い反応速度を有し、自動的にロックをかけられ、同時に、本装置は不正来訪者の情報を採集でき、安全であり、汎用性も高いのである
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020183689.tif 000003
【図２】
2020183689.tif 000004
【図３】
2020183689.tif 000005
【図４】
2020183689.tif 000006
【図５】
2020183689.tif 000007
【図６】
2020183689.tif 000008